(57)【要約】【課題】透光性の高いトレーシングペーパ等からもイメージを好適に読み取ることができる画像読取装置を提供する。【解決手段】画像読取装置１は、白の裏当てを用いて紙葉類の表面からイメージを読み取る第１読取センサユニット２５と、黒の裏当てを用いて紙葉類の前記表面からイメージを読み取る第２読取センサユニット２６とを備えている。画像読取装置１のＣＰＵ５６は、第１及び第２読取センサユニット２５、２６によりそれぞれ読み取られた各イメージを重ね合わせて合成イメージを生成する。これにより、読取対象の紙葉類が、例えばトレーシングペーパや裏写りする帳票等であっても、紙葉類上に記された画像パターン部分と、紙葉類上の白紙箇所とのコントラストが大きくなり、鮮明なイメージの取り出しが実現される。【選択図】図２
2005286921.tif 000002
【特許請求の範囲】
【請求項１】
白の裏当てを用いて紙葉類の一方の面からイメージを読み取る第１のイメージ読取手段と、
黒の裏当てを用いて前記紙葉類の前記一方の面からイメージを読み取る第２のイメージ読取手段と、
前記第１及び第２のイメージ読取手段によりそれぞれ読み取られた各イメージを重ね合わせて出力するイメージ合成手段と
を具備することを特徴とする画像読取装置。
【請求項２】
白の裏当てを用いて紙葉類の一方の面からイメージを読み取る第１のイメージ読取手段と、
黒の裏当てを用いて前記紙葉類の他方の面からイメージを読み取る第２のイメージ読取手段と、
前記第１及び第２のイメージ読取手段によりそれぞれ読み取られた各イメージのうちの一方のイメージの表裏を反転するイメージ反転手段と、
前記第１及び第２のイメージ読取手段によりそれぞれ読み取られた各イメージのうちの他方のイメージと前記イメージ反転手段により前記反転された一方のイメージとを重ね合わせて出力するイメージ合成手段と
を具備することを特徴とする画像読取装置。
【請求項３】
少なくとも前記第１及び第２のイメージ読取手段の各イメージ読取位置をそれぞれ通過させるようにして前記紙葉類を搬送する紙葉類搬送手段をさらに備え、
前記イメージ合成手段が、
前記紙葉類搬送手段に搬送されて前記第１のイメージ読取手段のイメージ読取位置を通過する前記紙葉類から、該紙葉類上に記された画像パターンを検出する画像パターン検出手段と、
前記紙葉類搬送手段に搬送されて前記第２のイメージ読取手段のイメージ読取位置を通過する前記紙葉類から、該紙葉類の端縁を検出する端縁検出手段と、
前記画像パターン検出手段及び前記端縁検出手段による検出結果に基づいて、前記第１及び第２のイメージ読取手段によりそれぞれ読み取られた各イメージの位置合わせを行う手段と
を具備することを特徴とする請求項１又は２記載の画像読取装置。
【請求項４】
白の裏当てを用いて紙葉類の一方の面からイメージを読み取るステップと、
黒の裏当てを用いて前記紙葉類の前記一方の面からイメージを読み取るステップと、
前記白の裏当て及び前記黒の裏当てを用いてそれぞれ読み取られた各イメージを重ね合わせて出力するステップと
を有することを特徴とする画像読取方法。
【請求項５】
白の裏当てを用いて紙葉類の一方の面からイメージを読み取るステップと、
黒の裏当てを用いて前記紙葉類の他方の面からイメージを読み取るステップと、
前記白の裏当て及び前記黒の裏当てを用いてそれぞれ読み取られた各イメージのうちの一方のイメージの表裏を反転するステップと、
前記白の裏当て及び前記黒の裏当てを用いてそれぞれ読み取られた各イメージのうちの他方のイメージと前記表裏が反転された一方のイメージとを重ね合わせて出力するステップと
を有することを特徴とする画像読取方法。
【請求項６】
前記白の裏当て及び前記黒の裏当てを用いた各イメージ読取位置を通過させるようにして前記紙葉類を搬送するステップと、
前記白の裏当てを用いたイメージ読取位置を通過する前記紙葉類から、該紙葉類上に記された画像パターンを検出するステップと、
前記黒の裏当てを用いたイメージ読取位置を通過する前記紙葉類から、該紙葉類の端縁を検出するステップと、
前記紙葉類の画像パターン及び端縁の検出結果に基づいて、前記白の裏当て及び前記黒の裏当てを用いてそれぞれ読み取られた各イメージの位置合わせを行うステップと
をさらに有することを特徴とする請求項４又は５記載の画像読取方法。
【発明の詳細な説明】
【技術分野】
【０００１】
本発明は、例えば帳票等の紙葉類からイメージ（画像）を光学的に読み取るための画像読取装置及び画像読取方法に関する。
【背景技術】
【０００２】
帳票等の紙葉類を搬送する搬送路上に読取センサユニットを配置し、この読取センサユニットを介して紙葉類に記された文字や図形等をイメージとして読み取る紙葉類移動型の光学的画像読取装置が知られている。
【０００３】
上記した読取センサユニットでは、紙葉類が搬送路上の読取位置に到達した時に、紙葉類に対し光源から光を照射し、この紙葉類で反射された光を反射ミラーやレンズを含む光学系を介してＣＣＤイメージセンサに導いている。このため、紙葉類の画像情報は、光の濃淡情報となってＣＣＤイメージセンサに入力され、ここで電気信号に変換されて読み取られるようになっている。
【０００４】
また、このような画像読取読装置としては、紙葉類の搬送路に沿って２つの読取ヘッドを直列に配置し、各ヘッドで読み取られたデータどうしを比較照合することで、紙葉類の折れ曲がりや、読取ヘッドの汚れ等に起因する画像の誤読を抑制するようにした装置等も提案されている（例えば、特許文献１参照）。
【特許文献１】特開平５−２６５８号公報
【発明の開示】
【発明が解決しようとする課題】
【０００５】
しかしながら、上述した紙葉類移動型の画像読取読装置では、光の透過率の高いトレーシングペーパや紙厚の薄い裏写りする帳票等からイメージを読み取る場合に課題を抱えている。
すなわち、イメージの読取位置において、黒の裏当て（黒当板）を適用した場合、読取対象の例えばトレーシングペーパ等の外形が黒縁として現れ、紙葉類のエッジ部（端縁）を検出することが可能となる。しかしながら、紙葉類上の文字や図形の記されていない白紙箇所において黒当板の色が透け、読み取ったイメージが全体的に黒ずんでしまうことになる。さらに、この場合、画像ノイズの影響等も受け易く、コントラストも無論小さくなるため、読み取ったイメージが不鮮明になる。
【０００６】
一方、イメージの読取位置において、白の裏当て（白当板）を適用した場合、紙葉類の外形が現れ難く、エッジ部の検出が困難となる。そこで、トレーシングペーパや裏写りする帳票等からも良好にイメージを取り出すことの可能な画像読取装置の開発が求められている。
【０００７】
本発明は、このような課題を解決するためになされたもので、透光性の高い紙葉類からもイメージを好適に読み取ることができる画像読取装置及び画像読取方法の提供を目的とする。
【課題を解決するための手段】
【０００８】
上記目的を達成するために、本発明に係る画像読取装置は、白の裏当てを用いて紙葉類の一方の面からイメージを読み取る第１のイメージ読取手段と、黒の裏当てを用いて前記紙葉類の前記一方の面からイメージを読み取る第２のイメージ読取手段と、前記第１及び第２のイメージ読取手段によりそれぞれ読み取られた各イメージを重ね合わせて出力するイメージ合成手段とを具備することを特徴とする。
【０００９】
この発明では、紙葉類からの白の裏当てを用いたイメージの読み取りで、紙葉類上に記された例えば文字、線、図形等の画像パターンのイメージを正確に抽出できるとともに、紙葉類からの黒の裏当てを用いたイメージの読み取りで、紙葉類の端縁（エッジ部）のイメージを的確に抽出することができ、さらに、これら白の裏当て及び黒の裏当てを用いてそれぞれ読み取られた各イメージを重ね合わせ、これを合成イメージとして出力することが可能である。したがって、この発明によれば、読取対象の紙葉類が、例えば光の透過率の高いトレーシングペーパや紙厚の薄い裏写りする帳票等であっても、紙葉類上に記された画像パターン部分と、紙葉類上の白紙箇所（非画像パターン部分）とのコントラストが大きくなり、ノイズ等の影響を抑えたかたちで鮮明なイメージの取り出しが実現される。また、本発明は、紙葉類移動型の画像読取装置に適用した場合に有用な構成となる。
【００１０】
また、本発明に係る画像読取装置は、白の裏当てを用いて紙葉類の一方の面からイメージを読み取る第１のイメージ読取手段と、黒の裏当てを用いて前記紙葉類の他方の面からイメージを読み取る第２のイメージ読取手段と、前記第１及び第２のイメージ読取手段によりそれぞれ読み取られた各イメージのうちの一方のイメージの表裏を反転するイメージ反転手段と、前記第１及び第２のイメージ読取手段によりそれぞれ読み取られた各イメージのうちの他方のイメージと前記イメージ反転手段により前記反転された一方のイメージとを重ね合わせて出力するイメージ合成手段とを具備することを特徴とする。
【００１１】
この発明では、紙葉類の一方の面からのイメージの読み取りで、紙葉類上の主に画像パターンのイメージを抽出できるとともに、紙葉類の他方の面からのイメージの読み取りで、紙葉類の主に端縁のイメージを抽出でき、さらに、紙葉類の一方及び他方の面からそれぞれ白の裏当て及び黒の裏当てを用いて読み取られた各イメージのうち、一方のイメージを反転させた後に互いのイメージを重ね合わせ、これを合成イメージとして出力することが可能である。したがって、この発明によれば、上記発明と同様に、読取対象の紙葉類がトレーシングペーパ等であっても、鮮明なイメージの取り出しが実現される。さらに、この発明によれば、紙葉類の一方及び他方の面からそれぞれ読み取られた各イメージを実質的に比較照合すること等も可能なので、複数枚の紙葉類が重なった状態でイメージの読取処理が行われている場合等にこれを検出することができる。
【００１２】
また、本発明に係る画像読取装置は、少なくとも前記第１及び第２のイメージ読取手段の各イメージ読取位置をそれぞれ通過させるようにして前記紙葉類を搬送する紙葉類搬送手段をさらに備え、前記イメージ合成手段が、前記紙葉類搬送手段に搬送されて前記第１のイメージ読取手段のイメージ読取位置を通過する前記紙葉類から、該紙葉類上に記された画像パターンを検出する画像パターン検出手段と、前記紙葉類搬送手段に搬送されて前記第２のイメージ読取手段のイメージ読取位置を通過する前記紙葉類から、該紙葉類の端縁を検出する端縁検出手段と、前記画像パターン検出手段及び前記端縁検出手段による検出結果に基づいて、前記第１及び第２のイメージ読取手段によりそれぞれ読み取られた各イメージの位置合わせを行う手段とを具備することを特徴とする。
【００１３】
この発明は、各イメージ読取位置を通過する紙葉類の画像パターン及び端縁の検出結果に基づいて、紙葉類から白の裏当て及び黒の裏当てを用いてそれぞれ読み取られた各イメージどうしの位置合わせ行うものである。すなわち、この発明は、例えば白の裏当てを用いたイメージ読取位置で紙葉類上の画像パターン（例えばパターンの先端位置）が検出されたタイミングと黒の裏当てを用いたイメージ読取位置で紙葉類の端縁（例えば紙葉類の外形の先端位置）が検出されたタイミングとの時間差（経過時間）、並びに個々のイメージ読取位置どうしの間を紙葉類が搬送されるのに要した通過時間等に基づいて、紙葉類から白の裏当て及び黒の裏当てを用いてそれぞれ読み取られた各イメージの正確な位置合わせを実現するものである。
【００１４】
また、本発明の画像読取方法は、白の裏当てを用いて紙葉類の一方の面からイメージを読み取るステップと、黒の裏当てを用いて前記紙葉類の前記一方の面からイメージを読み取るステップと、前記白の裏当て及び前記黒の裏当てを用いてそれぞれ読み取られた各イメージを重ね合わせて出力するステップとを有することを特徴とする。
【００１５】
さらに、本発明の画像読取方法は、白の裏当てを用いて紙葉類の一方の面からイメージを読み取るステップと、黒の裏当てを用いて前記紙葉類の他方の面からイメージを読み取るステップと、前記白の裏当て及び前記黒の裏当てを用いてそれぞれ読み取られた各イメージのうちの一方のイメージの表裏を反転するステップと、前記白の裏当て及び前記黒の裏当てを用いてそれぞれ読み取られた各イメージのうちの他方のイメージと前記表裏が反転された一方のイメージとを重ね合わせて出力するステップとを有することを特徴とする。
【００１６】
また、本発明の画像読取方法は、前記白の裏当て及び前記黒の裏当てを用いた各イメージ読取位置を通過させるようにして前記紙葉類を搬送するステップと、前記白の裏当てを用いたイメージ読取位置を通過する前記紙葉類から、該紙葉類上に記された画像パターンを検出するステップと、前記黒の裏当てを用いたイメージ読取位置を通過する前記紙葉類から、該紙葉類の端縁を検出するステップと、前記紙葉類の画像パターン及び端縁の検出結果に基づいて、前記白の裏当て及び前記黒の裏当てを用いてそれぞれ読み取られた各イメージの位置合わせを行うステップとをさらに有することを特徴とする。
【発明の効果】
【００１７】
このように、本発明によれば、透光性の高い紙葉類からもイメージを好適に読み取ることが可能な画像読取装置及び画像読取方法を提供することができる。
【発明を実施するための最良の形態】
【００１８】
以下、本発明を実施するための最良の形態を図面に基づき説明する。
（第１の実施形態）
図１は、本発明の第１の実施形態に係る画像読取装置の構成を概略的に示す図、図２は、この画像読取装置が備える第１及び第２読取センサユニットの構成を示す図、図３は、この画像読取装置の制御系を機能的に示すブロック図である。
図１に示すように、この画像読取装置１は、帳票等の紙葉類を装置内部で搬送しつつこの紙葉類上に記された文字や図形等の画像パターン（印刷パターン）をイメージとして読み取る紙葉類移動型の光学的画像読取装置である。
【００１９】
すなわち、画像読取装置１は、図１に示すように、ホッパテーブル２と、ピックローラ３及びフィードローラ４と、分離ローラ６と、複数の上部搬送ローラ７及び下部搬送ローラ８と、第１及び第２読取センサユニット２５、２６と、印字ヘッド１７と、フラッパ１８と、スタッカ１９、２０と、駆動排出ローラ２２及び従動排出ローラ２１とを主に備えている。ホッパテーブル２には、装置内部に搬入される複数枚の紙葉類が積載される。ピックローラ３及びフィードローラ４は、ホッパテーブル２に積載された紙葉類の表面（上面）に摺接してこの紙葉類を装置内部に取込む。分離ローラ６は、フィードローラ４によって装置内部に取込まれる紙葉類の裏面（下面）に接触し、フィードローラ４と協働して紙葉類を一枚ずつ分離する。
【００２０】
それぞれ複数設けられた上部搬送ローラ７及び下部搬送ローラ８は、紙葉類の搬送路５の上下に対向して配置され、紙葉類を両面から挟持しつつ下流側へと搬送する。印字ヘッド１７は、プラテンローラ１６に対向して設けられており、処理を施した紙葉類に対し例えば連番等を印字する。駆動排出ローラ２２及び従動排出ローラ２１は、印字ヘッド１７による印字処理を終え、且つフラッパ１８により仕分けられた紙葉類を両面から挟持しつつ装置内部より排出する。スタッカ１９、２０には、フラッパ１８により仕分けられつつ装置内部より排出された紙葉類が集積される。
【００２１】
次に、第１読取センサユニット２５及び第２読取センサユニット２６の構成を図２及び図３、並びに図４に基づき説明する。ここで、図４は、装置内部を搬送される紙葉類から第１及び第２読取センサユニット２５、２６によるイメージの読取結果を模式的に示す図である。
本実施形態の画像読取装置１が備える第１及び第２読取センサユニット２５、２６は、透光性の比較的高い紙葉類、つまりトレーシングペーパや裏写りする帳票等からイメージを正確に読み取るための機能を有している。
【００２２】
すなわち、図２ないし図４に示すように、第１読取センサユニット２５は、イメージ読取位置Ｘ１上で紙葉類の一方の面（本実施形態では、紙葉類の表［おもて］面）から白の裏当てを用いてイメージを読み取る第１のイメージ読取手段として機能する。すなわち、第１読取センサユニット２５は、紙葉類検出センサ３２と、ランプ３４と、ミラー３０、３１と、レンズ３６と、ＣＣＤ(Charge Coupled Device)３７と、白当板３８とを備えている。紙葉類検出センサ３２は、上部搬送ローラ７及び下部搬送ローラ８によって搬送路５上を搬送される紙葉類が、イメージ読取位置Ｘ１の手前に到達したことを検出する。
【００２３】
白当板３８は、イメージ読取位置Ｘ１における搬送路５の底部に配置されている。つまり、搬送路５上を搬送される紙葉類は、白当板３８の直上を通過する。ランプ３４は、紙葉類の表面に対し光を照射する。ミラー３０、３１及びレンズ３６は、紙葉類上から反射された光をＣＣＤ３７へ導光する。したがって、第１読取センサユニット２５は、紙葉類上に記された枠Ｗ１や図形Ｚ１等の画像パターンが鮮明に現れたイメージＰ１を取り出す（抽出する）ことができる。なお、Ｅ１は、白の裏当てを用いて読み取られた紙葉類の端縁である。
【００２４】
一方、第２読取センサユニット２６は、イメージ読取位置Ｘ２上で紙葉類の一方の面（紙葉類の表面）から白の裏当てを用いてイメージを読み取る第２のイメージ読取手段として機能する。つまり、第２読取センサユニット２６は、ランプ４７と、ミラー４０、４１と、レンズ４９と、ＣＣＤ５０と、黒当板５１とを備えている。
【００２５】
黒当板５１は、イメージ読取位置Ｘ２における搬送路５の底部に配置されている。つまり、搬送路５上を搬送される紙葉類は、黒当板５１の直上を通過する。ランプ４７は、紙葉類の表面に対し光を照射する。ミラー４０、４１及びレンズ４９は、紙葉類上から反射された光をＣＣＤ５０へ導光する。したがって、第２読取センサユニット２６は、イメージ読取位置Ｘ２上を通過する紙葉類の外形（エッジ部）を黒縁とすることができ、主に紙葉類の端縁Ｅ２が鮮明に現れたイメージＰ２を取り出す（抽出する）ことができる。なお、Ｚ２及びＷ２は、黒の裏当てを用いてそれぞれ読み取られた紙葉類上の図形及び枠である。
【００２６】
さらに、本実施形態の画像読取装置１には、図３示すように、第１イメージ格納メモリ５７と、第２イメージ格納メモリ５８と、ＣＰＵ５６と、このＣＰＵ５６に対しシステムバス６１を介して接続されたＲＯＭ５９及びＲＡＭ６０等とが設けられている。ＲＯＭ５９には、紙葉類からイメージの読取処理を実行するためのプログラムが格納されている。ＣＰＵ５６は、このプログラムの実行時において、ＲＡＭ６０内に作業領域を確保してプログラムを展開する。また、ＣＰＵ５６は、第１及び第２読取センサユニット２５、２６（ＣＣＤ３７、５０）により紙葉類から読み取られた各イメージを、信号の増幅機能を有するＡ／Ｄコンバータ５４、５５を介してデジタル化し、この画像情報を第１イメージ格納メモリ５７及び第２イメージ格納メモリ５８に専用のポートを通じてそれぞれ格納する。
【００２７】
また、このようなＣＰＵ５６は、紙葉類から第１及び第２読取センサユニット２５、２６によりそれぞれ読み取られた各イメージを重ね合わせて合成イメージを出力するイメージ合成手段として機能する。すなわち、画像読取装置１には、上部搬送ローラ７又は下部搬送ローラ８を駆動する例えばステッピングモータ５３や、このモータのドライブ回路であるモータ駆動回路５２が設けられている。ここで、ＣＰＵ５６は、イメージ読取位置Ｘ１とイメージ読取位置Ｘ２との離間距離を予め記憶しており、さらにステッピングモータ５３の駆動パルスをカウントすることで、イメージ読取位置Ｘ１、Ｘ２どうしの間を紙葉類が搬送されるのに要した通過時間を求めることができる。さらに、ＣＰＵ５６は、例えば白の裏当てを用いたイメージ読取位置Ｘ１で紙葉類上の画像パターン（紙葉類の搬送方向沿ったパターンの先端位置）が検出されたタイミングと、黒の裏当てを用いたイメージ読取位置Ｘ２で紙葉類の端縁（紙葉類の搬送方向に沿った該紙葉類の外形の先端位置）が検出されたタイミングとの時間差（経過時間）を得ることができる。
【００２８】
したがって、ＣＰＵ５６は、図４に示すように、上記時間差（経過時間）の間に、ステッピングモータ５３の駆動力で搬送される紙葉類の搬送距離Ｓ１を求めることができる。一方で、ＣＰＵ５６は、紙葉類上に記された画像パターンの枠Ｗ１の先端位置が検出されるイメージ読取位置Ｘ１と、紙葉類の端縁Ｅ２の先端位置が検出されるイメージ読取位置Ｘ２との離間距離をＳとして記憶している。これにより、ＣＰＵ５６は、紙葉類の枠Ｗ１の先端位置と紙葉類の端縁Ｅ２の先端位置との離間距離Ｓｘ（相対的な座標位置）を式Ｓｘ＝Ｓ−Ｓ１により求めることができる。よって、ＣＰＵ５６は、紙葉類から第１及び第２読取センサユニット２５、２６によりそれぞれ読み取られた各イメージを重ね合わせて合成イメージを出力（取り出す）ことが可能となる。
【００２９】
次に、このように構成された画像読取装置１により、実際に紙葉類からイメージを読み取る場合の処理を図２ないし図４に加え、図５及び図６に基づき説明する。ここで、図５は、白の裏当てを用いた表面読取画像と黒の裏当てを用いた紙葉類の表面外形画像との合成画像の取り出しを説明するための図、図６は、白の裏当てを用いた表面読取画像と黒の裏当てを用いた表面読取画像との合成画像の取り出しを説明するための図である。
すなわち、図２ないし図５に示すように、イメージ読取位置Ｘ１上で、搬送路５上を搬送される紙葉類から、読取センサユニット２５により白の裏当てを用いた表面読取画像が得られる。この際、第１読取センサユニット２５は、紙葉類上に記された枠Ｗ１や図形Ｚ１等の画像パターンが鮮明に現れたイメージＰ１を取り出すことができる。さらに、イメージ読取位置Ｘ２上で、搬送路５上を搬送される紙葉類から、読取センサユニット２６により黒の裏当てを用いた表面読取画像が得られる。この場合、第２読取センサユニット２６は、イメージ読取位置Ｘ２上を通過する紙葉類の外形（エッジ部）を黒縁とすることができ、主に紙葉類の端縁Ｅ２が鮮明に現れたイメージＰ２を取り出すことができる。
【００３０】
さらに、ＣＰＵ５６は、上記した式Ｓｘ＝Ｓ−Ｓ１に基づいて、イメージＰ２から紙葉類の端縁Ｅ２のみをイメージＰ３として抽出する。さらに、ＣＰＵ５６は、求めたＳｘを基準として、イメージＰ１とイメージＰ３とを位置合わせしつつこれらの画像を重ね合わせて合成イメージＰ４を取り出す。ここで、このような画像の合成処理に代えて、図６に示すように、黒の裏当てを用いた表面読取画像から紙葉類の端縁Ｅ２を抽出せずに、黒の裏当てを用いた全読取画像（イメージＰ２）と白の裏当てを用いた表面読取画像（イメージＰ１）とを合成し、合成イメージＰ５を取り出すようにしてもよい。
【００３１】
したがって、本実施形態に係る画像読取装置１では、紙葉類からの白の裏当てを用いたイメージの読み取りで、紙葉類上に記された例えば文字、線、図形等の画像パターンのイメージを正確に抽出することができるとともに、紙葉類からの黒の裏当てを用いたイメージの読み取りで、紙葉類のエッジ部のイメージを正しく抽出でき、さらに、これら白の裏当て及び黒の裏当てを用いてそれぞれ読み取られた各イメージを重ね合わせ、これを合成イメージとして生成することができる。したがって、画像読取装置１によれば、読取対象の紙葉類が、例えば光の透過率の高いトレーシングペーパや紙厚の薄い裏写りする帳票等であっても、紙葉類上に記された画像パターン部分（印刷パターン部分）と、紙葉類上の白紙箇所（非画像パターン部分）とのコントラストが大きくなり、鮮明なイメージの取り出しを行うことができる。
【００３２】
（第２の実施形態）
次に、本発明の第２の実施形態について説明する。ここで、図７は、装置内部を搬送される紙葉類から第１及び第２読取センサユニット２５、６２によるイメージの読取結果を模式的に示す図である。また、図８は、白の裏当てを用いた表面読取画像と黒の裏当てを用いた裏面読取画像を抽出・反転した画像との合成画像の取り出しを説明するための図、図９は、白の裏当てを用いた表面読取画像と黒の裏当てを用いての外形を含む裏面読取画像を反転した画像との合成画像の取り出しを説明するための図である。
この実施形態に係る画像読取装置は、第１の実施形態の画像読取装置１が備えていた第２読取センサユニット２６に代えて、図７に示すように、第２読取センサユニット６２を備えて構成される。すなわち、第２読取センサユニット６２は、部品構成としては、第２読取センサユニット２６と同一のハードウェアを備えているものの、イメージ読取位置Ｘ２上で紙葉類の他方の面（本実施形態では、紙葉類の裏面）から黒の裏当てを用いてイメージを読み取るように各部品が配置されている。ここで、本実施形態では、読取対象の紙葉類は、例えば光の透過率の高いトレーシングペーパや紙厚の薄い裏写りする帳票等であって、紙葉類上の表（おもて）面に枠や図形等の画像パターンが記されている。
【００３３】
すなわち、本実施形態の画像読取装置では、図７ないし図９に示すように、イメージ読取位置Ｘ１上で、搬送路５上を搬送される紙葉類の表面から、読取センサユニット２５により白の裏当てを用いた表面読取画像が得られる。この際、第１読取センサユニット２５は、紙葉類上の表面に記された枠Ｗ１や図形Ｚ１等の画像パターンが鮮明に現れたイメージＰ１を取り出すことができる。さらに、イメージ読取位置Ｘ２上で、搬送路５上を搬送される紙葉類の裏面から、読取センサユニット６２により黒の裏当てを用いた裏面読取画像がまず得られる。この場合、第２読取センサユニット６２は、イメージ読取位置Ｘ２上を通過する紙葉類の外形（エッジ部）を黒縁とすることができ、主に紙葉類の（裏面側からみた）端縁Ｅ３が鮮明に現れたイメージＰ６を取り出すことができる。なお、Ｚ３及びＷ３は、黒の裏当てを用いて紙葉類の裏面からそれぞれ読み取られた紙葉類上の図形及び枠である。
【００３４】
さらに、ＣＰＵ５６は、上記した式Ｓｘ＝Ｓ−Ｓ１に基づいて、図９に示すように、イメージＰ６から紙葉類の端縁Ｅ３のみを抽出するとともに、抽出した端縁（端縁のイメージ）Ｅ３の表裏を反転して、端縁Ｅ４を有するイメージＰ７を生成する。さらに、ＣＰＵ５６は、求めたＳｘを基準として、イメージＰ１とイメージＰ７とを位置合わせしつつこれらの画像を重ね合わせて合成イメージＰ８を取り出す。ここで、このような画像の合成処理に代えて、図１０に示すように、黒の裏当てを用いた裏面読取画像から紙葉類の端縁Ｅ４を抽出せずに、黒の裏当てを用いた全裏面読取画像（イメージＰ６）の表裏を反転したイメージＰ９と白の裏当てを用いた表面読取画像（イメージＰ１）とを合成し、合成イメージＰ１０を取り出すようにしてもよい。
【００３５】
したがって、この実施形態に係る画像読取装置では、紙葉類の表（おもて）面からのイメージの読み取りで、紙葉類上の主に画像パターンのイメージを抽出できるとともに、紙葉類の裏面からのイメージの読み取りで、紙葉類の主に端縁のイメージを抽出でき、さらに、紙葉類の表面及び裏面からそれぞれ白の裏当て及び黒の裏当てを用いて読み取られた各イメージのうち、裏面から読み取ったイメージを反転させた後、互いのイメージを重ね合わせ、これを合成イメージとして出力することができる。これにより、この実施形態の画像読取装置によっても、第１の実施形態と同様に、読取対象の紙葉類がトレーシングペーパ等であっても、鮮明なイメージの取り出しが実現される。
【００３６】
次に、本実施形態の画像処理装置が備える紙葉類の重送（ダブルフィード）検出機能について図１１及び図１２に基づき説明する。ここで、図１１は、装置内部を重送（ダブルフィード）される紙葉類から第１及び第２読取センサユニット２５、６２によるイメージの読取結果を示す模式図、図１２は、装置内部を重送される紙葉類から白の裏当てを用いた表面読取画像と黒の裏当てを用いた裏面読取画像を反転した画像との合成画像の取り出しを説明するための図である。
【００３７】
すなわち、イメージ読取位置Ｘ１上で、搬送路５上を搬送される紙葉類の表面から、読取センサユニット２５により白の裏当てを用いた表面読取画像が得られる。この際、紙葉類上の表面に記された枠Ｗ１や図形Ｚ１等の画像パターンが現れたイメージＰ１が取り出される。一方、イメージ読取位置Ｘ２上では、搬送路５上を搬送される紙葉類の裏面から、読取センサユニット６２により黒の裏当てを用いた裏面読取画像（イメージＰ１１）が得られる。この場合、主に紙葉類の（裏面側からみた）端縁Ｅ５が鮮明に現れる。また、ここで、黒の裏当てを用いて紙葉類の裏面からそれぞれ読み取られた紙葉類表面の図形Ｚ４及び枠Ｗ４も、端縁Ｅ５ほどは鮮明ではないものの、イメージとして現れている。
【００３８】
さらに、ＣＰＵ５６によって、図１２に示すように、黒の裏当てを用いた全裏面読取画像（イメージＰ６）の表裏を反転したイメージＰ１２と白の裏当てを用いた表面読取画像（イメージＰ１）とが合成され、合成イメージＰ１３が取り出される。ここで、図１２に示すように、紙葉類の表面から得たイメージＰ１と紙葉類の裏面から得たイメージＰ１２とを重ね合わせた結果、画像パターンが不一致である場合、紙葉類の重送（ダブルフィード）を検知することができる。これにより、例えばジャムの発生や紙葉類の紛失等を制御することができる。
【００３９】
以上、本発明を各実施の形態により具体的に説明したが、本発明はこれらの実施形態にのみ限定されるものではなく、その要旨を逸脱しない範囲で種々変更可能である。例えば、上述した実施形態では、読取処理の前段側に白の裏当てが適用され、さらに後段側に黒の裏当てが適用されていたが、勿論この前後段の部品配置を逆にしてもよい。また、本実施形態の画像読取装置では、ＣＣＤイメージセンサを一対で用いていたが、ＣＣＤイメージセンサを例えば３つ以上設け、画像を合成する際の位置決め精度等の向上を図れるようにしてもよい。
【図面の簡単な説明】
【００４０】
【図１】本発明の第１の実施形態に係る画像読取装置の構成を概略的に示す図。
【図２】図１の画像読取装置が備える第１及び第２読取センサユニットの構成を示す図。
【図３】図１の画像読取装置の制御系を機能的に示すブロック図。
【図４】図１の画像読取装置の内部を搬送される紙葉類から第１及び第２読取センサユニットによるイメージの読取結果を模式的に示す図。
【図５】図２の第１及び第２読取センサユニットの白の裏当てを用いた表面読取画像と黒の裏当てを用いた紙葉類の表面外形画像との合成画像の取り出しを説明するための図。
【図６】図２の第１及び第２読取センサユニットの白の裏当てを用いた表面読取画像と黒の裏当てを用いた表面読取画像との合成画像の取り出しを説明するための図。
【図７】本発明の第２の実施形態に係る画像読取装置が備える第１及び第２読取センサユニットの構成を示す図。
【図８】装置内部を搬送される紙葉類から図７の各読取センサユニットによるイメージの読取結果を示す模式図。
【図９】図７の各読取センサユニットの白の裏当てを用いた表面読取画像と黒の裏当てを用いた裏面読取画像を抽出・反転した画像との合成画像の取り出しを説明する図。
【図１０】図７の各読取センサユニットの白の裏当てを用いた表面読取画像と黒の裏当てを用いた裏面読取画像を反転した画像との合成画像の取り出しを説明するための図。
【図１１】装置内部を重送される紙葉類から図７の各読取センサユニットによるイメージの読取結果を模式的に示す図。
【図１２】装置内部を重送される紙葉類から図７の各読取センサユニットによる表面読取画像と裏面読取画像を反転した画像との合成画像の取り出しを説明するための図。
【符号の説明】
【００４１】
１…画像読取装置、５…搬送路、７…上部搬送ローラ、８…下部搬送ローラ、２５…第１読取センサユニット、２６，６２…第２読取センサユニット、３８…白当板、５１…黒当板、５２…モータ駆動回路、５３…ステッピングモータ、５６…ＣＰＵ、３７，５０…ＣＣＤ、Ｅ１，Ｅ２，Ｅ３，Ｅ４，Ｅ５…端縁（エッジ部）、Ｘ１，Ｘ２…イメージ読取位置。
【図１】
2005286921.tif 000003
【図２】
2005286921.tif 000004
【図３】
2005286921.tif 000005
【図４】
2005286921.tif 000006
【図５】
2005286921.tif 000007
【図６】
2005286921.tif 000008
【図７】
2005286921.tif 000009
【図８】
2005286921.tif 000010
【図９】
2005286921.tif 000011
【図１０】
2005286921.tif 000012
【図１１】
2005286921.tif 000013
【図１２】
2005286921.tif 000014